(57)【要約】      （修正有）【課題】多角度のワイドビューレンズを提供し、水中で光線がレンズに進入する時の採光ウインドの視角を増加し、構造を強化する。【解決手段】一種のワイドビュー潜水レンズで、それは主に一枚のレンズを包括する：その特徴は、当該レンズの精製はメインウインドからいくつかの異なる角度の平面ビューが延伸、あるいは当該レンズ内面の縁にフレネルレンズを設置、あるいはレンズのもっとも外側の縁に尾はめ込み部分を設置する。上述の構造に基づき、多くの角度のウインド部分を除いて、視角を増加し構造強度を強化している。このほかに、そのフレネルレンズの技術も光線の折射角度を修正できるもので、視角増加の目的を達している。それは装着の便利さを実現するばかりでなく、視角の障害にもならない。【選択図】図８
0003117674.tif 000002
【実用新案登録請求の範囲】
【請求項１】
レンズを包含するワイドビュー潜水レンズにおいて、当該レンズは一体成形方式で製造し、メインウインドから数個の異なる角度の平面ウインドが延伸していることを特徴とする、ワイドビュー潜水レンズ。
【請求項２】
レンズを包含するワイドビュー潜水レンズにおいて、レンズの内面の縁にフレネルレンズを設けたことを特徴とする、ワイドビュー潜水レンズ。
【請求項３】
請求項１及び２記載のワイドビュー潜水レンズにおいて、レンズの最も外側の縁に装着用の嵌めこみ部分を設けたことを特徴とする、ワイドビュー潜水レンズ。
【請求項４】
請求項１記載のワイドビュー潜水レンズにおいて、メインレンズと左右の平面ウインド部分のあいだのコーナーは１０度から３０度の角度を呈することを特徴とする、ワイドビュー潜水レンズ。
【請求項５】
請求項１記載のワイドビュー潜水レンズにおいて、メインウインドと上下の平面ウインド部分のあいだのコーナーは３５度から７０度の角を呈することを特徴とする、ワイドビュー潜水レンズ。
【請求項６】
請求項２記載のワイドビュー潜水レンズにおいて、フレネルレンズとレンズのあいだのコーナーは１０度から３０度を呈することを特徴とする、ワイドビュー潜水レンズ。
【考案の詳細な説明】
【技術分野】
【０００１】
本考案はワイドビュー潜水レンズに関する者で、特に一種の光学級樹脂（ＰＣ、アクリルなど）を射出成形、あるいはＣＲ３９注入成形、抑え、あるいは高精度ガラス型圧縮成形などの技術で精製した潜水レンズである。それはレンズに進入する光線の入射角度を増加し、視角増加の目的を達するほか、その構造性の強さを強化している。
【背景技術】
【０００２】
一般的な潜水マスクはプラスチックフレーム、ゴムマスクと潜水レンズを包括し、ゴムマスクと潜水レンズをプラスチックフレームの内部にはめ、かけ心地をよくするため、そのゴムマスクはユーザーの顔の部分の形状に符合するものとなり、また適度のフィット感覚を備えている、また潜水レンズは通常、平光強化ガラスで製作され、最後にゴムマスク内に装着される。当該レンズは政策方式の制限に基づき、その内外部に平面を多く作り出す。光線経水、ガラス、空気が眼球に進入した後、光線の高折射介質が低折射介質にまで進入する。もしその臨界を超えた場合、入射角は全反射を生み出すこととなり、その最大入射角は約４８．６１度となる。このため潜水人員が水中で見ることのできる範囲は、その左右の目を合わせて約９７．２２度で、第一図を参照にされたし。光線（ルート１）が臨界入射角に入って内部伝達が行われた時、光線は正常に眼球に入る。ただし光線（ルート２）の方式で進行するとき、光線は最後にレンズの面に沿って屈折し、眼球に入ることができない。その光線が臨界入射角を越えた場合、ついには全反射を生み出し盲点を形成する。
【０００３】
第２、第３の図を参照にされたし。伝統的な単一ビューの潜水レンズは、その上下にサイドおよび左右にサイドで見える視角範囲から、顕著に潜水人員の水中の可視区域を見て取ることができ、水底運動が不便でない状況のもと、何回も見回すことで四周の風景をようやく見ることができた。
【０００４】
このため、近年に市場でも多くの視角増加潜水レンズａが出回るようになった。第４から第７の図を参照にされたし。第一種はわりに伝朗的な多面レンズで、多面レンズａは相互に樹脂で一門に近い字形を完成させている。しかし、現れる視界はところどころ欠点がある：第二種は全面円弧面レンズ。しかし潜水者が使用するときにめまいが起こる状況もありえる。縁から外に向かって伸びる円弧面のレンズａは、一体成形の方式で製造され、採光面も増加したが、増加した視角の入射映像の品質はよくない。最後に、もう一種のプラスチック合成方式で製造した多面レンズは、全てのレンズａの接合箇所が先にある角度にカットされており、その相互接合を通じて視角断絶の状況を軽減している。しかしそれでも構造が弱いという欠点がある。一般に言って、レンズとプラスチックフレームの結合後、そのレンズの縁にも突出したプラスチックフレームがあり、同様に光線の入射時の障害となっており、光線の入射角度も制限を受けている。
【０００５】
近年、レンズ製造の技術は日進月歩の成長を見せており、材質もより多様化している。このため、熱プラスチック光学レベル樹脂（ＰＣアクリルなど）の射出成形技術で作られたプラスチックレンズや熱固性ＣＲ３９材料の注入技術で製造されたプラスチックレンズであっても、上述の技術はすでに相当の成熟を見せており、はなはだしくは高精度ガラス型圧縮技術が段階的に商業化されている。このため、高精度ガラス型圧縮機や高精度のガラス型加工機はすでに市場でも入手しやすく、考案者は上述の在知るや関係の技術を使って一体成形「ワイドビュー潜水レンズ」を考案することができる。これで水中での光線のレンズへの進入時の採光ウインドの視角が増し、構造が強化される。またレンズの縁にフレネルレンズの効果により、光線の屈折度を修正し、光線入射角度の増加で視角を増加させる目的を到達できる。そして当該技術はレンズの厚さを縮小できる長所を備えている。
【考案の開示】
【考案が解決しようとする課題】
【０００６】
本案考案者は上述の周知の構造的欠陥に鑑み、研究を重ね、本人も長年にわたり当該事業の経験を有することから、ついに斬新な「ワイドビュー潜水レンズ」を開発した。
【０００７】
本考案の主な目的は、多角度のワイドビューレンズを提供することにあり、水中で光線がレンズに進入する時の採光ウインドの視角を増加し、構造を強化することにある。
【０００８】
本考案のもう一つの目的は、フレネルレンズを備えたワイドビュー潜水レンズを提供することにある。水中で光線がレンズに進入する時の採光ウインドの視角を増加し、レンズの厚みを薄くすることにある。
【課題を解決するための手段】
【０００９】
請求項１の考案は、レンズを包含するワイドビュー潜水レンズにおいて、当該レンズは一体成形方式で製造し、メインウインドから数個の異なる角度の平面ウインドが延伸していることを特徴とする、ワイドビュー潜水レンズとしている。
請求項２の考案は、レンズを包含するワイドビュー潜水レンズにおいて、レンズの内面の縁にフレネルレンズを設けたことを特徴とする、ワイドビュー潜水レンズとしている。
請求項３の考案は、請求項１及び２記載のワイドビュー潜水レンズにおいて、レンズの最も外側の縁に装着用の嵌めこみ部分を設けたことを特徴とする、ワイドビュー潜水レンズとしている。
請求項４の考案は、請求項１記載のワイドビュー潜水レンズにおいて、メインレンズと左右の平面ウインド部分のあいだのコーナーは１０度から３０度の角度を呈することを特徴とする、ワイドビュー潜水レンズとしている。
請求項５の考案は、請求項１記載のワイドビュー潜水レンズにおいて、メインウインドと上下の平面ウインド部分のあいだのコーナーは３５度から７０度を呈することを特徴とする、ワイドビュー潜水レンズとしている。
請求項６の考案は、請求項２記載のワイドビュー潜水レンズにおいて、フレネルレンズとレンズのあいだのコーナーは１０度から３０度を呈することを特徴とする、ワイドビュー潜水レンズとしている。
【考案の効果】
【００１０】
上述の目的を達するために、本考案ワイドビュー潜水レンズには主にレンズとして、メインビューを数個の異なる角度の平面ウインド部にまで延伸、もしくは当該レンズの内側にフレネルレンズを設けた。最後にレンズのもっとも外側の縁に嵌めこみ部分を儲け、伝統的な潜水レンズの装着後に発生する視角への障害を排除する。
【００１１】
上述の構造により、本考案はＰＣ、アクリル、ＣＲ３９、あるいはガラスなどの材質を配合して一体成形する技術によって、数個の異なる角度の平面ウインドのワイドビュー潜水レンズを備え、その平面のウインド部の数、およびウインド部の相互角度は、市場のニーズに沿って任意に増減および配置することができ、水中で光線がレンズに進入する時の入射角を修正することで視角を増加する目的を達する。例えば、メインビューの水平面の法線にはさまれたコーナーに２０度の左右ウインドを増加させる場合、レンズ内の眼球に左右合わせて２３７．２２度の範囲内から差し込む光線を受けさせることで、眼球が２０７．２２度の範囲内から差し込む光線を受け付けるようになる。顔の曲線の影響を受けるため、上下約１８０度の視角となる。上述の説明で、当該レンズは合計で左右２３７．２２度、上下１８０度の視角を有しており、一体成形構造が全体の強さを強化している。また、上述の材質特性がウインドの縁に一体成形したフレネルレンズを設け、ガラス内面の適切な位置に２０度のフレネルレンズを設けた場合、光学原理に沿って言えば、９０度の入射角に近付く。このため単一レンズの両脇に２０度のフレネルレンズを設けることで１８０度の視角が得られる。同時にレンズの厚みとウインドの数を減らす長所も備えている。またフレネルレンズの左右にウインドを備える時、より大きな可視角度を得ることができる。計算によると、約３２０度の入射角が得られる。レンズ脇に設けられた嵌めこみ部分で、プラスチックフレームやゴムマスクとの安全かつ速やかな一面化成形を助けることができ、ウインド正面の脇に突出したプラスチックフレームが光線の入射角度に影響しないようにすることができる。
【考案を実施するための最良の形態】
【００１２】
本考案の構造、装置、および特徴の比較的よい実施例と配合図式の詳細は以下の通り：  第８、９、１２、１３、１４図の指示にあわせた本考案のワイドビュー潜水レンズには、レンズ１０が包括され、そのうち当該レンズ１０は一体成形方式で製造したメインウインド１１から異なる角度の平面ウインド部１２、１３が延伸しており、そのメインウインド１１は左右の平面ウインド部１２のあいだにコーナーαを挟んでおり、そのコーナーαの範囲は約１０〜３０度のあいだである。そのメインウインド１１と上下平面ウインド部１３のあいだに挟まれたコーナーβは、コーナーβの範囲が３５度から７０度となっている。レンズ１０の最も外側の縁に装着用の嵌めこみ分１４設けられ、またレンズ１０内の縁にフレネルレンズ１５が設けられている。フレネルレンズ１５とレンズ１０の間のコーナーｒは、コーナーｒが１０〜３０度のあいだで、最後にレンズ１０の最も外側には装着用の嵌めこみ分１４が設けられている。
【００１３】
第１０、１１の図を参照されたし。周知のレンズフレームの装着後と本考案のレンズ装着後の意匠図で、周知のレンズ１０とプラスチックフレーム２およびゴムマスク３を結合させた後、そのレンズ１０の縁に突出するプラスチックフレーム２も光線差込時の障害を構成し、光線入射角度により制限を加えてしまう。またレンズ１０の縁に嵌めこみ分１４を配し、プラスチックフレーム２とゴムマスク３の速やかな装着を助けることができ、突出したプラスチックフレーム２が光線入射の角度に影響することはない。
【００１４】
第１２、１３の図を参照されたし。本考案は左右平面ウインド部と上下平面ウインド部のコーナーおよびは一途を増加させるため、その左右の平面ウインド部１２とメインウインド１１のコーナーαが約２０度のとき、その左右の平面ウインド部１３とメインウインド１１のコーナーβは約３５度である。このことから当該レンズが得られる最も大きな角度は左右２３７．２２度、上下１８０度の視角と言える。第１４の図を参照されたし。フレネルレンズ１５で水中での光線の反射現象を修正し、レンズ１０の内面に適切に２０度のフレネルレンズを配置することで、９０度に近い入射角を得られる。単一レンズの二編に当該のフレネルレンズ１５を配置することで、１８０度の視角を得ることができる。
【００１５】
以上総合して、本考案のワイドビュー潜水レンズは、多くのウインドあるいはフレネルレンズを持たせる方式を通じて、水中で光線がレンズに侵入する際の入射角を修正して視角を増加させるのみならず、構造面も強化している。さらにフレネルレンズのレンズにはレンズの厚みを減少させる効果もあり、考案に実用性と進歩性を与えている。
【図面の簡単な説明】
【００１６】
【図１】光線が水中で異なる介質を通じて屈折する経路を示した図
【図２】周知の潜水マスクの視角を示した図
【図３】周知の潜水マスクの視角を示した図
【図４】周知の潜水レンズの構造を示した図
【図５】周知の潜水レンズの構造を示した図
【図６】周知の潜水レンズの構造を示した図
【図７】周知の潜水レンズの構造を示した図
【図８】本考案のマルチウインド形式の立体構造図
【図９】本考案にフレネルレンズを装着した立体構造図
【図１０】周知のレンズとプラスチックフレームの結合後の分解図
【図１１】本考案のレンズとプラスチックフレームの結合後の分解図
【図１２】本考案のために増加した左右ウインドと上下ウインドのコーナーと配置図
【図１３】本考案のために増加した左右ウインドと上下ウインドのコーナーと配置図
【図１４】光線がフレネルレンズに進入した後の屈折経路を示す図
【符号の説明】
【００１７】
２  プラスチックフレーム
３  ゴムマスク
１０  レンズ
１１  メインウインド
１２  左右平面ウインド部
１３  上下平面ウインド部
１４  嵌めこみ分
１５  フレネルレンズ
【図１】
0003117674.tif 000003
【図２】
0003117674.tif 000004
【図３】
0003117674.tif 000005
【図４】
0003117674.tif 000006
【図５】
0003117674.tif 000007
【図６】
0003117674.tif 000008
【図７】
0003117674.tif 000009
【図８】
0003117674.tif 000010
【図９】
0003117674.tif 000011
【図１０】
0003117674.tif 000012
【図１１】
0003117674.tif 000013
【図１２】
0003117674.tif 000014
【図１３】
0003117674.tif 000015
【図１４】
0003117674.tif 000016